(57)【要約】【課題】カラス等の鳥害を防止できるごみ集積装置を提供する。【解決手段】スリットを有する適宜サイズの箱体内底部に立設固定される固定軸と、固定軸周囲に位置する転動体と、回転軸とハンドルおよび載置板を有するとともに、回転軸内に固定軸を位置させて載置板下面を転動体上面に接触させてなる回転体を設け、その一端を回転軸に固定され他端をスリットを介して箱体外に位置させてなる可撓体を設け、該可撓体端および箱体外面適所に相互の係合手段を設け、箱体上面の切除部よりハンドルを突出させることにより、可撓体の巻き取りおよび展開を可能としたことを特徴とする。【選択図】図５
0003140019.tif 000002
【実用新案登録請求の範囲】
【請求項１】
スリットを有する適宜サイズの箱体内底部に立設固定される固定軸と、固定軸周囲に位置する転動体と、回転軸とハンドルおよび載置板を有するとともに、回転軸内に固定軸を位置させて載置板下面を転動体上面に接触させてなる回転体を設け、その一端を回転軸に固定され他端をスリットを介して箱体外に位置させてなる可撓体を設け、該可撓体端および箱体外面適所に相互の係合手段を設け、箱体上面の切除部よりハンドルを突出させることにより、可撓体の巻き取りおよび展開を可能としたことを特徴とする鳥害対策用ごみ集積装置。
【請求項２】
箱体内を二室に仕切り、一方に回転体を位置させ、他室上面に開閉板を設けてなる請求項１記載の鳥害対策用ごみ集積装置。
【請求項３】
箱体上面に着脱可能なる２枚の板体を設け、各板体相互の突き合わせ個所適所に切除部を設けてなる請求項１又は２記載の鳥害対策用ごみ集積装置。
【請求項４】
スリット下部にガイド板を設けてなる請求項１〜３のいずれかの項に記載の鳥害対策用ごみ集積装置。
【考案の詳細な説明】
【技術分野】
【０００１】  この考案は、ゴミ集積場に飛来するカラス等からの鳥害を防止する装置に関する。
【背景技術】
【０００２】  従来より、ゴミ集積場いわゆるゴミステーションには種々の形態のものが利用されているが、本案に示すように、所定高さおよび長さを有する蛇腹板を利用するものは見あたらない。
【考案の開示】
【考案が解決しようとする課題】
【０００３】  上述のように、ゴミステーションには種々のものが利用されている。最もシンプルなものとしては、専用ネットを集積したゴミ上にかぶせて覆うものがある。しかしこれはゴミ量が多くなるとすべてのゴミを覆うことができずにネットから逸脱するゴミに対しての鳥害が発生する。一方、固定式装置も普及している。これはコンクリートや金属にて作られた所定容積内にゴミを投入するもので、ネットを併用する場合もある。
これは上記手段より有効であるが設置費用がかさみ、占有スペースも大きくなる。
近年、ゴミ集積場の数も増加し、手作りの集積場も見られる。鳥害を防ぐために所定サイズの板体を複数個紐でつなぎ、使用時にはこれを広げてこの中にゴミを入れるものもあるが、板体を広げたりまとめたりする手間がかかり、またゴミ投入スペースも十分とはいえない。
本案は、以上のような従来からのゴミ集積場に関わる課題を解決するために考案されたもので、簡易な装置でありながら鳥害を防止し、不使用時にはコンパクトに収納することのできる新規かつ有用なる装置を提供することを目的として開発されたものである。
【課題を解決するための手段】
【０００４】  課題を解決する手段として本案は以下の構成とした。
すなわち、スリットを有する適宜サイズの箱体内底部に立設固定される固定軸と、固定軸周囲に位置する転動体と、回転軸とハンドルおよび載置板を有するとともに、回転軸内に固定軸を位置させて載置板下面を転動体上面に接触させてなる回転体を設け、その一端を回転軸に固定され他端をスリットを介して箱体外に位置させてなる可撓体を設け、該可撓体端および箱体外面適所に相互の係合手段を設け、箱体上面の切除部よりハンドルを突出させることにより、可撓体の巻き取りおよび展開を可能とする。
本案は以上の構成よりなる鳥害対策用ごみ集積装置である。
【考案の効果】
【０００５】  本案によれば、箱体より所定巾の蛇腹板を適当長引き出してその端部を箱体所定個所に係合することにより、路面上に区画空間を出現させ、この空間内にごみ袋を多数収容し、使用後はハンドル操作にて蛇腹板を箱体内に収容することができるので、ネットを併用することにて集積されたごみ袋に対するカラス等からの鳥害を防止し、不使用時の路面占有スペースを小さくできる有用なる装置を提供することができる。なお、ネット収納部を一体に設けることにて外観上もスッキリとした便利なものとすることができる。
【考案を実施するための最良の形態】
【０００６】  以下、本考案の実施形態について説明する。
図において、１は金属板による有底上部開放の収納箱で、その前面端部近傍にはスリット２が設けられる。３および４は天板で、長方形板体の両端を直角に折曲したもので、収納箱上部にビス止めされる。５は切除部で、各天板の突き合わせ部中央に位置する円形孔である。６は開閉板で、天板と類似の板体であり、その一端は蝶番７にて収納箱後面上部に取り付けられる。また、つまみ８が開閉板適所に取り付けられる。
収納箱底板の上面適所には管体による固定軸９が立設固定され、この固定軸の周囲底板上面には転動体としてのボールキャスター１０が三等配に取り付けられる。
１１は回転体である。この回転体は、中央に角穴を有する所定径の円板による載置板１２の中央に中空角体による回転軸１３が固着立設され、回転軸上面に適宜部材を介してハンドル１４が螺着にて設けられたものである。この回転体は図３に示すように、回転軸内に固定軸を位置させるとともに、載置板下面がボールキャスターに接して位置し、回転自由である。なお、このときハンドルは前記切除部より上方に突出する。
１５は可撓体としての蛇腹板で、リブを有する長尺合成樹脂板を所定間隔にて加熱圧着した市販品で巻回自由であり、この蛇腹板の一端は回転軸側面に固定され、他端は端板１６に固定される。端板はスリット全長よりやや長めの細長板体に別板を直角に固着したもので、別設の板体にてビスにて蛇腹板を押圧挟持している。この端板は収納箱外方に位置し、従って、蛇腹板の一部は収納箱内に位置し、他部はスリットを通過して外方に位置する。１７は端板に取り付けられる湾曲棒体による係合金具、１８は収納箱端部近傍前面に取り付けられるＵ形棒体による係合金具、１９は開閉板端部位置下方において収納箱内を仕切っている仕切り板で、その下端は収納箱底部上面に固着される。【０００７】  本案を使用するには、まず路面適所に本装置を置く。次に、係合金具１７をつまんで前に引くことにて回転体が回転して蛇腹板がスリットより引き出され、適当長引き出した後、係合金具の１７と１８を係合させる。以上の操作にて路面上に区画空間が形成される。
そして開閉板を開いて収納されているネットを引き出し、この区画空間上に覆い被せる。
持ち寄ったごみ袋は、ネットを少し持ち上げてこの区画空間内に投入する。
蛇腹板にて路面から所定位置までこの蛇腹板が位置し、また蛇腹板上面はネットにて覆われているため、ごみ袋が露出することがなく、カラス等の鳥害を防止することができる。
ごみ収集後はハンドルを回すことにて回転体が回転して蛇腹板を巻き取り、巻き取られた蛇腹板は載置板上に巻回されて位置し、端板はスリットに接して位置し、区画空間はなくなってコンパクトになり、路面上には収納箱が位置するので、路面上の専有面積が小さくなる。本例では天板を２枚とし、その突き合わせ部分中央に円形孔を設けているので、修理時などにおいてこれらの天板を取り外してハンドルを取り外さずとも蛇腹板を載置している回転体を容易に取り出すことができる。
図４および図６は本案の別例を示すもので、スリット下端をまたぐように湾曲板体よりなるガイド板２０、２１を固着したものである。ガイド板２０はその一部に平板部を有する円弧状板体で、その一部はスリット下端近傍に露出して位置し、他部はスリットより内方に湾曲して位置する。ガイド板２１は露出部は同様であるが、他部は扇形平板状に形成され、その内方先端は載置板１２と同一平面位置にて載置板外周と同様の曲率半径にて近接して位置する。
装置の構成上、スリット下端は路面よりやや上方に位置するので、引き出した蛇腹板は次第に下降して路面に接する。従って、載置板上面に対して蛇腹板下端は若干の傾斜を有することとなり、蛇腹板巻き取り時においてその下端がスリット下端に接しながら移動する。このとき、スリット断面に丸みがないとその摩擦にて蛇腹板を損傷する恐れがある。これを防止するためにこのガイド板を設けたものであり、蛇腹板は載置板とほぼ同一高さにて巻き取られてスムースに巻回させることができる。なお、ガイド板２１では載置板とスリット間に平板部が同一高さに位置し、この部分にて蛇腹板の重量の一部を受けてよりスムースな巻き取りを行うことができる。【０００８】  以上、本案について記したが、本案は蛇腹板にて路面上の区画空間を出現させ、この中にごみ袋を投入するとともに上面をネットで覆うところにその特徴を有し、使用後はこの蛇腹板を箱内に収納できるものである。従来より、所定サイズのネットにて路上に置かれたごみ袋を覆う方式が多用されているが、ごみ量によってはこのネットからはみ出すことがある。これをカラスがつついてごみ袋を破り、中のごみを食して路上に散乱させ、不快臭・不快景観を出現させ、問題となっている。既述の別手段もあるがコスト面や専有面積等の点において十分なものではなかった。しかるに本案にてこれらの問題が解決されるものとなったのである。なお、既述の例では、金属板にて制作するものとしたが、他の素材にて制作してもよい。また、使用したボールキャスター以外の他の転動体を用いてもよく、蛇腹板に代えて他の可撓体を用いてもよい。また、収納箱のネット収納個所適所に金具を設けて、ここにネット端を結びつけることにてネットの紛失が防止される。
例示のものは収納箱を二分して一方に回転体を他方にネットを収納するものとしたが、ネット収納スペースを省いた構成としてもよい。ガイド板の湾曲部分はは筒体にて形成してもよい。例示では蛇腹板端に端板を設けており、この端板サイズを適宜に選択することにて、蛇腹板収納時には端板にてスリットを覆うこととなって雨天時などのスリットからの雨水の浸入を極小とすることができる。なお、開閉板は前後に開閉するものとしたが、左右に開閉する方式でもよい。また、係合金具は一対にて構成したが、上下に各一対を用いてもよく、この場合はより安定した係合とすることができる。
以上のごとく、本案によって鳥害を防止できる有用なるごみ集積装置を得ることができる。
【図面の簡単な説明】
【０００９】
【図１】本考案の全体斜視図（蛇腹板収納時）
【図２】本考案の回転体の斜視図
【図３】本考案の構造説明図
【図４】本考案の要部説明図
【図５】本考案の全体斜視図（蛇腹板展開時）
【図６】本考案の要部説明図
【符号の説明】
【００１０】１    収納箱
２    スリット
３    天板
４    天板
５    切除部
６    開閉板
７    蝶番
８    つまみ
９    固定軸
１０  ボールキャスター
１１  回転体
１２  載置板
１３  回転軸
１４  ハンドル
１５  蛇腹板
１６  端板
１７  係合金具
１８  係合金具
１９  仕切り板
２０  ガイド板
２１  ガイド板
【図１】
0003140019.tif 000003
【図２】
0003140019.tif 000004
【図３】
0003140019.tif 000005
【図４】
0003140019.tif 000006
【図５】
0003140019.tif 000007
【図６】
0003140019.tif 000008